(57)【要約】【課題】野球またはソフトボールで使用するスポーツグローブで使用するためのアセンブリ。【解決手段】アセンブリは、着用時に着用者の親指および指と揃う指延長部材を含む。指延長部材は、ポリマーなどの軽量材料で作られ、少なくとも１つの格子部分を含む。より軽量の指延長部材を含めることにより、アセンブリを含むグローブはかかと周りの慣性モーメントが低くなり、野手がプレー中にグローブをより簡単かつ迅速に動かすことができるようになる。【選択図】図１
2020131040.tif 000002
【特許請求の範囲】
【請求項１】
スポーツグローブで使用するための指延長部材であって、
上端部および下端部と、
前面および後面とを備え、
前記前面および前記後面のうちの少なくとも一方は、格子部分を含む、指延長部材。
【請求項２】
前記指延長部材はポリマーで作られる、請求項１に記載の指延長部材。
【請求項３】
前記格子部分は２つ以上の格子構造の層で構成される、請求項１に記載の指延長部材。
【請求項４】
前記前面と前記後面の間に画定された厚さは前記下端部の前記方向に向かって先細りになっている、請求項１に記載の指延長部材。
【請求項５】
前記前面と前記後面のそれぞれは格子部分を含む、請求項１に記載の指延長部材。
【請求項６】
前記指延長部材は、前記前面の格子部分および前記後面の格子部分のうちの少なくとも一方に隣接する少なくとも１つの余白部分を含む、請求項５に記載の指延長部材。
【請求項７】
前記指延長部材は前記スポーツグローブに組み入れられる、請求項１に記載の指延長部材。
【請求項８】
前記前面および前記後面のうちの少なくとも一方は、前記指延長部材の上端部から外側に突出する突起部を含む、請求項１に記載の指延長部材。
【請求項９】
スポーツグローブで使用するための親指アセンブリであって、
親指パッド部材と、
前記親指パッド部材に取り付けられ、前記親指パッド部材よりも硬い親指延長部材とを備え、
前記親指パッド部材および前記親指延長部材のうちの少なくとも一方は、格子部分を含む、親指アセンブリ。
【請求項１０】
前記親指パッド部材および前記親指延長部材のうちの少なくとも一方はポリマー製である、請求項９に記載の親指アセンブリ。
【請求項１１】
前記親指パッド部材および前記親指延長部材のうちの少なくとも一方の前記格子部分は格子構造の２つ以上の層で構成される、請求項９に記載の親指アセンブリ。
【請求項１２】
前記親指パッド部材は、前記親指パッド部材が曲がるのを容易にするために、少なくとも一方の側に１つ以上のスロットを含む、請求項９に記載の親指アセンブリ。
【請求項１３】
前記親指パッド部材は、突起部が外側に突出したステップダウン部分を有する近位端を含む、請求項９に記載の親指アセンブリ。
【請求項１４】
前記親指延長部材は、タブ部分を通って延びる開口部を備え、そこから延びる前記タブ部分を有する近位端を含む、請求項９に記載の親指アセンブリ。
【請求項１５】
前記親指アセンブリは前記スポーツグローブに組み入れられる、請求項９に記載の親指アセンブリ。
【請求項１６】
前記親指パッド部材は、前記スポーツグローブが組み立てられると、前記スポーツグローブのパーム部分で調整される、請求項９に記載の親指アセンブリ。
【請求項１７】
打球スポーツで使用するグローブであって、
前記グローブに組み入れられ、少なくとも１つの前記指延長部材を備え、前記少なくとも１つの指延長部材がポリマーで構成される、グローブ。
【請求項１８】
前記少なくとも１つの指延長部材は、少なくとも１つの格子部分を含む、請求項１７に記載のグローブ。
【請求項１９】
前記少なくとも１つの格子部分は、格子構造の少なくとも２つの層を含む、請求項１８に記載のグローブ。
【請求項２０】
前記少なくとも１つの指延長部材は、前記グローブの親指部分、人差し指部分、中指部分、薬指部分、または小指部分のいずれかに組み入れられる、請求項１７に記載のグローブ。
【請求項２１】
前記少なくとも１つの指延長部材はパームライナーに取り付けられる、請求項１７に記載のグローブ。
【請求項２２】
前記少なくとも１つの指延長部材が前記パームライナーに縫い付けられる、請求項１７に記載のグローブ。
【請求項２３】
打球スポーツで使用するグローブであって、
前記グローブの親指部分に組み入れられる親指アセンブリと、
前記グローブの人差し指部分、中指部分、薬指部分のそれぞれに組み入れられる３つの指延長部材と、
前記グローブの小指部分に組み入れられる小指延長部材とを備え、
前記親指アセンブリ、３つの指延長部材、および前記小指延長部材のそれぞれはポリマー製である、グローブ。
【請求項２４】
前記親指アセンブリ、３つの指延長部材、および前記小指延長部材の少なくとも１つは少なくとも１つの格子部分を含む、請求項２３に記載のグローブ。
【請求項２５】
前記少なくとも１つの格子部分は格子構造の少なくとも２つの層を含む、請求項２４に記載のグローブ。
【請求項２６】
前記親指アセンブリ、３つの指延長部材、および前記小指延長部材はパームライナーに取り付けられる、請求項２３に記載のグローブ。
【請求項２７】
前記親指アセンブリ、３つの指延長部材、および前記小指延長部材は前記パームライナーに縫い付けられる、請求項２６に記載のグローブ。
【請求項２８】
前記３つの指延長部材は、小指延長部材よりも剛性が低い、請求項２３に記載のグローブ。
【発明の詳細な説明】
【技術分野】
【０００１】
本出願は、２０１９年２月２５日に提出された「構造的指補強材を備えたグローブ」と題する米国仮特許出願第６２／８０９，８３２号の優先権を主張し、現在係属中であり、その全開示は参照により組み込まれる。
【０００２】
本発明は、スポーツ用具に関し、より詳細には、野球またはソフトボールなどの打球スポーツ用グローブに関する。本発明は、特に、野球用またはソフトボール用の軽量で構造的に強化されたグローブに関する。
【背景技術】
【０００３】
野球用またはソフトボール用の従来のグローブは、一般に、グローブの前壁を形成する前面パネルと、グローブの後壁を形成する後面パネルとを備える。前面パネルと後面パネルは、様々な固定手段によってグローブの周縁部で互いに固定され、上面、底面、および反対側を有するグローブシェルを形成する。固定手段は、縫い合わせ、紐、留め金、リベット、および接着剤を含んでもよいが、これらに限定されない。グローブシェルは一般に、１つの内側の親指ストールと４つの内側の指ストールを画定する。グローブには、親指と４つの指があり、それぞれ親指と指のストールを形成する。指は、従来、クロスブレースによって結合され、結合された指領域を形成する。クロスブレースには、紐などが含まれるが、これらに限定されない。さらに、任意の締結手段またはクロスブレースの紐は、革または革のような材料でできていることが好ましく一般的である。ウェブは、革または革のような材料などの固定手段によって親指と指の間に配置され、固定される。
【０００４】
野球用またはソフトボール用の従来のグローブは、ライナーをさらに備えてもよい。グローブシェルに関して、ライナーは、前面パネルの内面にパームライナーパネルを備える。前面パネルとパームライナーは、グローブの反対側の間に伸びるグローブのかかとを形成するために、一般的に互いに一直線になった下縁余白を有する。前面パネルは、グローブの前面を形成する外面と内面を備える。前面パネルの外面には、グローブのかかとの上とウェブと指の下にあるボールキャッチポケットを形成する中央部分がある。後面パネルには、親指ストールと指ストールを囲む外面がある。後面パネルの下縁は、着用者の手を受け入れるための開口部を規定し、さらに、開口部を横切って延びる場合によっては調整可能なストラップまたはひもをさらに備えてもよい。前面パネルおよび後面パネルは、構造的完全性および衝撃吸収の目的のために、比較的厚く、高密度で硬い材料で構成されることが好ましい。
【０００５】
従来の方法で作られたグローブは重く、かかとの周りに大きい慣性モーメントがあり、適切な構造的補強材がない。一般に、従来の構造のグローブは、全体的または大部分が、一般に比較的密度の高い材料である革および／または革のような材料で構成される。このような密度の高い素材を使用すると、特に追加のパッドまたは長さの素材を含むキャッチャーまたは外野手のグローブの場合、比較的重いグローブが作成される。
【０００６】
さらに、野球用またはソフトボール用の既知のグローブは、所望の仕様および寸法を満たすために過剰なまたは不必要な材料を含み、これまで、アスリートが知って評価するようになった、少なくとも同じ所望の仕様および寸法を満たすことができるような材料に対して軽量な代替品はなかった。例えば、既知のグローブの親指と指は、高密度の革または革のような素材、内部パッド、構造的支持体、固定手段、およびクロスブレースを含み、これによりグローブの全体重量が増加する。
【０００７】
着用者が野球用またはソフトボール用のグローブに手を挿入すると、着用者の指は親指ストールまたは指ストールに部分的にしか伸びず、野球用またはソフトボール用の従来のグローブの親指または指の少なくとも５０パーセント（５０％）は、着用者の指を収容すること以外の目的のために設計されている。グローブの重量を増加させ、このようなグローブの使いやすさを制限するのは、特にグローブの遠位部分で過剰なまたは不必要な材料を含む親指と指の部分である。さらに、プロレベルの競技用の野球用またはソフトボール用に作られたグローブは一般に、グローブの遠位部分を含めて、追加の長さ、パッド、および構造的支持体を提供するために、さらに多くの革または革のような材料を含む場合がある。
【０００８】
従来、内部パッドおよび構造支持体は、所望の結果を達成するために、一般に、グローブを構成する同一または類似の材料または複数の材料で構成されており、形成され、巻かれ、および圧縮されることが多い。内部パッドおよび構造支持は、圧縮ウールまたはポリエチレンを含んでもよい。このような追加の材料は、グローブの重量とかかと周りの慣性モーメントをさらに増加させ、このようなグローブの使いやすさを制限する。
【０００９】
したがって、スポーツで長く使用されている既知のグローブと比較して、グローブの有用性を最適化し、より少ない材料を使用するために、かかと周りの慣性モーメントが低い軽量グローブが必要である。
【発明の概要】
【００１０】
本発明は、一般に軽量の構造的指補強材を備える野球用またはソフトボール用の軽量グローブに関する。グローブ全体の軽量化は、軽量の構造的指補強材により軽減される。したがって、軽量化されたグローブは、優れた使いやすさ、およびその他の利点を提供する。特に、グローブの遠位部分、例えば、グローブの親指と指、およびその先端の重量を減らすことには、グローブのかかと周りの慣性モーメントを減らすというさらなる利点がある。かかとの周りの慣性モーメントが減少すると、さらに使いやすくなり、他の利点が得られる。
【００１１】
一般に、指の補強材または延長部は、一般に既知のグローブを含め、高密度な、過剰な、および／または不必要な材料を置き換えるように設計されている。さらに、指の補強材または延長部は、別個であっても組み入れられていてもよく、事前に形成されていてもよい。指延長部は、サイズ、剛性などに関してカスタマイズ可能であってもよい。このようにして、個々のアスリートは、自分の好みやプレースタイルに合わせてカスタマイズされたグローブを持つことができる。
【００１２】
本発明の目的は、既知のグローブに比べて、（ｉ）軽量グローブを提供すること、（ｉｉ）かかと周りの慣性モーメントの低いグローブを提供すること、（ｉｉｉ）グローブの改善された構造的補強材を提供すること、および（ｉｖ）材料の使用量の少ないグローブを提供することである。本発明の他の利点および目的は、添付の図面を参照した以下の説明から明らかになるであろう。
【００１３】
本発明の様々な実施形態をよりよく理解するために、添付図面を参照してもよい。
【図面の簡単な説明】
【００１４】
【図１】本発明の教示に従って構成された、親指指延長部材および４つの指延長部材を含むグローブ内部ライナーの斜視図である。
【図２】図１の第１の指延長部材の上面斜視図である。
【図３】図２の第１の指延長部材の平面図である。
【図４】図２および図３の第１の指延長部材の立面図である。
【図５】図２〜図４の第１の指延長部材の底面斜視図である。
【図６】図１の親指パッド部材の平面図である。
【図７】図６の親指パッド部材の上面斜視図である。
【図８】図６および図７の親指パッド部材の底面斜視図である。
【図９】図１の親指延長部材の平面図である。
【図１０】図１の第２の指延長部材の平面図である。
【図１１】図１０の第２の指延長部材の底面図である。
【００１５】
本開示は、様々な修正および代替形態の影響を受けやすいが、その特定の実施形態は、例として図面に示されており、本明細書で詳細に説明される。ただし、本明細書に提示される図面および詳細な説明は、開示を開示される特定の実施形態に限定することを意図するものではなく、反対に、その意図は、本開示の精神および範囲内にある全ての修正、均等物、および代替物を網羅することである。
【発明を実施するための形態】
【００１６】
ここで、図面を参照して本発明を説明するが、図面全体を通して、同様の参照番号は同様の部分を指す。本発明の特徴を明確にするために、図面では要素の比例関係は必ずしも維持されていない。図に含まれる寸法は単に例として提供され、そこに提供される寸法以外の寸法も本発明の範囲内であることを理解すべきである。
【００１７】
本発明の説明は、本発明を実施することができる特定の実施形態を参照している。実施形態は、当業者が本発明を実施できるように、本発明の態様を十分詳細に説明することを意図している。他の実施形態を利用することができ、本発明の範囲から逸脱することなく変更を加えることができる。本発明は、添付の特許請求の範囲によって定義され、したがって、説明は限定的な意味で解釈されるべきではなく、このような特許請求の範囲が権利を有する均等物の範囲を限定しない。
【００１８】
本発明の１つの目的は、既知のグローブに比較して、（ｉ）重量が減少した、（ｉｉ）かかと周りの慣性モーメントが低い、（ｉｉｉ）構造的補強材が改善された、および（ｉｖ）材料がより少ない、野球用またはソフトボール用のグローブを提供することである。さらに、本発明の別の目的は、野球用またはソフトボール用の既知のグローブに比べて改良された、野球用またはソフトボール用のグローブを提供することである。
【００１９】
本発明は、軽量であるように設計され、一般に可撓性および／または剛性の構造的指延長部材を含む野球用またはソフトボール用グローブに関し、このような延長部材は軽量材料または軽量材料の組合せを含む。いくつかの指延長部材は、炭素繊維、ポリウレタンなどを含むがこれらに限定されない、一般に剛性で、柔軟性がなく、強い構造材料または柔軟性が制限された材料の組合せで構成されてもよい。他の指延長部材は、一般に柔軟であり、ゴムまたは柔軟なプラスチックなどの柔軟な材料で構成されている。
【００２０】
指延長部材は、グローブの親指または指のそれぞれの幅または長さにわたって可変または不均一な断面を画定してもよい。例えば、いくつかの実施形態では、材料または材料の組合せは、対象のグローブの親指または指の幅または長さにわたって、ほぼ均一な組成、および可変または不均一な断面を有する指延長部材を形成してもよい。しかし、他の実施形態では、材料または材料の組合せは、対象のグローブの親指または指の幅または長さにわたって、可変または不均一な組成、および可変または不均一な断面を有する指延長部材を形成してもよいことが理解されるであろう。
【００２１】
指延長部材は、内部パッド、構造的支持体、固定手段、および／または既知のグローブの親指ストール、指ストール、親指、および指のクロスブレースを含む、高密度の、過剰な、および／または不必要な材料のかなりの部分または大部分を交換するような延長部として設計される。指延長部材は、一般に、親指または指の横方向の周囲を含めて、グローブの親指および指の周囲を一致させ、一般に画定するように設計される。さらに、指延長部材は、実質的にグローブの親指または指の外側周囲の周りに延びてもよく、親指または指の形状を形成し、延長部材と延長部材との間に革または革のような材料を保持し、一般的にピンと張るように設計されてもよい。指延長部材は、一般に、親指または指の横方向、回転方向、および他の方向の動きを制限するように設計されてもよい。
【００２２】
最初に図１を参照すると、多数の指延長部材と、指延長部材が取り付けられるパームライナー５とを含む、内側グローブアセンブリ１が示されている。より詳細には、内側グローブアセンブリ１は、３つの指延長部材１０、親指延長アセンブリ１５、および小指延長部材２０を含む。アセンブリ１５および延長部材１０、２０は、これらに限定されないが、パームライナー５への縫い付け、かがり付け、接着、リベット留め、または取付け（例えば、フックおよびループファスナーシステムによる）を含む様々な方法で、パームライナー５に取り付けることができる。図１では、着用者の薬指に関連付けられた指延長部材１０Ａ、着用者の中指に関連付けられた指延長部材１０Ｂ、および着用者の人差し指に関連付けられた指延長部材１０Ｃが全て示されている。以下に示すように、指延長部材１０はカスタマイズ可能であり、着用者の好みに合わせて調整可能であるため、ある程度交換可能である。
【００２３】
使用中、パームライナー５を含む内側グローブアセンブリ１は、野球またはソフトボールに使用できるボールグローブを形成するように、本技術分野で公知であり、本明細書に記載するようなグローブに組み立てることができる。このようなグローブ（図示せず）では、グローブアセンブリ１自体は、プラスチック、ゴムなどの材料で作られてもよいが、グローブは革のような従来の材料でできており、グローブの外側は、プレーヤーが慣れ親しんだものと実質的に同様の方法で機能するようにすることができる。代替の実施形態では、グローブは、合成ポリマーまたは他の予測可能なまたは既知の材料でできていてもよい。
【００２４】
図２〜図５を参照すると、図１の指延長部材１０Ａがより詳細に示されている。指延長部材１０Ａは、多くの点で他の指延長部材１０Ｂおよび１０Ｃと実質的に同様である。しかし、指延長部材１０Ｂ、１０Ｃとは異なり、指延長部材１０Ａは、指延長部材１０Ａの前面３０から外向きに突出する楕円形の突起部２５を含む。突起部２５は、追加の補強材として内側グローブに作用することを含めて多くの目的に役立つ。前面３０に加えて、指延長部材１０Ａは後面３５を含む。パームライナー５に取り付けて使用するとき、前面３０は、着用者から離れて捕球されるボールに向かって面しているのに対して、後面３５は、グローブの使用中に、着用者に面していることが好ましい。しかしながら、代替の実施形態では、指延長部材１０Ｂおよび１０Ｃが示されているように、指延長部材１０Ａは、他の方向に面するようにひっくり返すことができる。指延長部材１０Ａはまた、上部４０および下部４５のそれぞれを含む。
【００２５】
特に、その上端部４０付近の指延長部材１０Ａは、一般に、格子構造５０から構成される。格子構造５０は、指延長部材１０Ａの厚さ全体を貫通し、したがって、その前面３０および後面３５のそれぞれで見ることができる。格子構造５０は、指延長部材１０Ａまたはその一部の上に、ポリマーのストランドを含むポリマーの規則的または不規則な幾何学的配置として形成されてもよい。格子構造５０は、ほぼ無限の数の形状およびサイズを取り得る複数のスロット５５で構成されてもよい。図示の実施形態では、スロット５５は、実質的に水平ないくつかのスロット５５、角度のあるもの、およびより小さく、穴や開口部６０により接近して現れるものを含む。図では、指延長部材１０Ｃの前面３０および後面３５に位置する格子構造５０のみが示されている。しかしながら、格子構造５０の複数の層は、前面３０と後面３５との間に位置してもよい。
【００２６】
好ましい実施形態では、格子構造５０は３つの層を含むが、代替の実施形態では、より多くのまたはより少ない格子構造５０が提供されてもよい。格子構造５０はスロット５５および穴６０を含むので、指延長部材１０Ａを作成する際に、使用する材料をより少なくすることができる。指延長部材１０Ａを作成するために使用される材料が少ないほど、各指延長部材１０Ａの総重量が減少するので、提供され図１に示されるアセンブリ１の総重量、およびアセンブリ１がグローブに組み込まれるときのグローブの総重量が減少する。指延長部材１０Ａは、複数の方法を使用して製造することができる。しかしながら、格子構造５０などの格子構造を作成するために、３Ｄ印刷などの積層造形が必要な場合がある。
【００２７】
指延長部材１０Ａの厚さ６５は、好ましくは、上端部４０から下端部４５に向かってテーパ状に減少する。指延長部材１０Ａの下端部４５に向かって厚さ６５が減少することにより、指延長部材１０Ａ、ひいてはアセンブリ１およびグローブの全体重量が減少する。また、グローブが使用されているとき、指延長部材１０Ａの下端部４５の近くでそれを行う能力に影響を与える厚さがより薄いため、着用者は指をよりうまく動かすことができる。
【００２８】
なお、指延長部材１０Ａの格子構造５０は、特別に調整された格子構造としてポリマー材料から作製され得る。格子構造およびそのセルとストラットのサイズは、指延長部材の特定の領域の柔軟性と剛性を増加または減少させるように変更することができる。格子構造５０などの格子構造は、任意の所与のアスリートの性能に対する期待を満たすためにカスタマイズ可能および／または調整可能であってもよい。同様に、指延長部材１０Ａは柔軟なゴム状ポリマーとして形成されているが、ユーザが指延長部材１０Ａ（または指延長部材１０Ｂ、１０Ｃ）により高い剛性を望む場合、プラスチックポリマーなどのより硬い材料をゴム状ポリマーの代わりに使用してもよい。多くの剛性測定で十分かもしれないが、材料の剛性対重量比は４：１に近いことが好ましい。親指アセンブリ１５および小指アセンブリ２０は、このようなより硬い材料を利用してもよい。
【００２９】
指延長部材１０Ｃの前面３０および後面３５のそれぞれで、格子構造５０は、指延長部材１０Ｃの下部４５に近づくにつれて狭くなる。狭めることにより、格子構造５０を含まない余白部分６７が得られる。少なくとも一実施形態では、余白部分６７に格子構造５０がないことにより、指延長部材１０Ｃ（または１０Ａまたは１０Ｂ）をパームライナー５に縫い付けることが容易になることが好ましい。
【００３０】
図６〜図８を参照すると、親指延長アセンブリ１５の一部を構成する親指パッド部材７０が示されている。親指パッド部材７０は、近位端７５および遠位端８０のそれぞれを含む。親指パッド部材７０は、前面８５および後面９０のそれぞれをさらに含む。図１に示すように、親指パッド部材７０がアセンブリ１に組み入れられる場合、親指パッド部材７０は、その近位端７５が着用者の親指の近くに位置し、親指パッド部材７０の遠位端８０は、着用者の小指、したがって小指延長部材２０の近くにある。親指パッド部材７０は、着用者の手のひらの下部と実質的に整列するように設計することが好ましい。親指パッド部材７０は、様々な材料で作られてもよいが、代替の実施形態では、ゴム状ポリマーで構成される。図６および図７に示すように、親指パッド部材７０の前面８５は、実質的に滑らかで平坦であるが、代替の実施形態では、いくらかの質感を含んでもよい。
【００３１】
親指パッド部材７０の近位端７５の近くに、親指パッド部材７０の残りの部分よりも薄いステップダウン部分９０が設けられることが好ましい。ステップダウン部分９０には、ステップダウン部分から外側に突出する突起部材９５を設けることもできる。図６および図７に示すように、突起部９５は、格子構造１０５を形成するために三角形の形状である複数の開口部１００を含む。格子構造５０のような格子構造１０５は、ほぼ無限の数の形状および構造を取り得る。格子構造１０５は、親指パッド部材７０の総重量、したがってアセンブリ１およびアセンブリ１が組み込まれるグローブの総重量を低減するのにさらに役立ち得る。突起部９５は、親指延長部材（図６〜図８には示されていないが、本明細書の以下の図９に記載および図示されている）を保持できるサイズおよび形状であることが好ましい。
【００３２】
図８に示す親指パッド部材７０の後面９０には、親指パッド部材７０の前面８５に向かって延びる複数の凹状スロット１１０を設けることができる。凹状スロット１１０は、親指パッド部材７０が曲がることを可能にするのに役立つ。アセンブリ１を含むグローブが使用されるとき、ユーザはボールを捕えるために手を閉じたり開いたりする場合があるので、親指パッド部材７０が曲がることができることが重要である。着用者がそうするとき、必然的に着用者の手のひらの下部（図示せず）は、手が開閉するのにつれて、同様に曲がる。したがって、親指パッド部材７０にはある程度の柔軟性が必要な場合がある。凹状スロット１１０の追加は、この開閉を容易にするのに役立つ場合がある。
【００３３】
図８に示されるように、親指パッド部材７０の後面９０はまた、格子構造１１５も含み得る。格子構造１１５は、複数の三角形の穴または開口部１２０を含む。格子構造５０、１０５の場合のように、格子構造１１５はほぼ無限の構成をとることができる。さらに、格子構造１１５は、親指パッド部材７０ひいてはグローブが彼または彼女の性能基準に整合して機能できるように、特定のアスリートに対してカスタマイズ可能および／または調整可能であってもよい。親指パッド部材７０の近位端７５において、親指パッド部材７０には、曲線状の縁部１２５が設けられることが好ましい。縁部１２５は、図９に示される親指延長部材１３０の端部を補完するような曲線形状であることが好ましい。
【００３４】
親指パッド部材７０と親指延長部材１３０とが一緒になって、親指アセンブリ１５を構成する。図９に示すように、親指延長部材１３０は、近位端部１３５および遠位端部１４０のそれぞれを含む。近位端部１３５において、親指延長部材１３０は、そこから延びるタブ部材１４５を含んでもよい。タブ部材１４５は、タブ部材１４５を通って延びる開口部１５０を含むことが好ましい。開口部１５０は、親指パッド部材７０が互いに位置合わせされたときに、親指パッド部材７０から突起部９５を受け入れて保持することができるサイズおよび形状であることが好ましい。突起部９５と開口部１５０との間の係合は、親指延長部材１３０の近位端１３５の縁部１５５と嵌合する親指パッド部材７０の縁部１２５によってさらに強固になる。端部１５５の湾曲は、親指パッド部材７０の湾曲した端部１２５と実質的に一致することが好ましい。上述のように、互いに取り付けられたとき、親指パッド部材７０と親指延長部材１３０は一緒になって、図１の親指アセンブリ１５を形成する。
【００３５】
親指延長部材１３０は、延長部材１０および親指パッド部材７０の後面９０と同様に、一般に格子構造１６０で構成される。格子構造１６０は、指延長部材１０Ａの格子構造７０と同様のパターンを有する。好ましい実施形態では、親指延長部材１３０の両側は、格子構造１６０と、格子構造１６０を構成するスロット１６５および開口１７０とを含む。好ましい実施形態では、親指延長部材１３０内に格子構造１６０の３つの層がある。いくつかの実施形態では、より多いまたはより少ない層が提供されてもよく、格子構造１６０は、無限の数の構成をとってもよい。格子構造１６０の構成およびサイズおよび形状は、着用者の体重、サイズ、または他の好みにさらに適合するようにカスタマイズ可能または調整可能であってもよい。
【００３６】
指延長部材１０Ａとは異なり、親指延長部材１３０は、よりプラスチックに類似した、より硬いポリマーで構成されることが好ましい。これは、野球のボールまたはソフトボールのボールが親指延長部材１３０の位置に当たる場合、プレーヤーは、一般に、より硬いグローブを好むためである。親指延長部材１３０上に格子構造１６０が存在することにより、グローブの全体重量、ひいてはグローブのパーム周りの慣性モーメントが減少し得る。親指延長部材１３０の遠位端１４０の近くに、２つの円形の開口部１７５が設けられる。円形の開口部１７５は、グローブを組み立てる際に、グローブを組み立てるために革または革のような材料を通すために使用してもよい。
【００３７】
図１０は、小指延長部材２０の前面１８０を示し、図１１は、小指延長部材２０の後面１８５を示す。図１０および図１１のそれぞれに提供されるように、小指延長部材２０の前面１８０および後面１８５は、格子構造１９０を含む。明細書全体にわたって説明される他の格子構造と同様に、格子構造１９０は、スロット１９５および開口部２００のそれぞれを含む。格子構造１９０は、代替の実施形態では大きく異なる可能性があり、図１０および図１１に示されるものとは異なる配置を含んでもよい。さらに、格子構造１９０は、着用者の性能に対する期待を満たすためにカスタマイズ可能および／または調整可能であってもよい。アセンブリ１の他の要素と同様に、小指延長部材２０は、好ましい実施形態では３層の格子構造１９０を含んでもよい。しかしながら、代替の実施形態では、格子構造１９０のより多いまたはより少ない層が提供されてもよい。小指延長部材の遠位端部２０５に、２つの穴または開口部２１０を設けてもよい。穴または開口部２１０は、親指延長部材１３０の穴または開口部１７５と実質的に同様であってもよい。革または革のようなレースを穴または開口部２１０に通して、小指延長部材２０を指延長部材１０Ａまたはグローブの他の場所に取り付けてもよい。親指延長部材１３０と同様に、小指延長部材２０は、プラスチックのような性質を有するより硬いポリマーでできていることが好ましい。しかしながら、代替の実施形態では、小指延長部材２０は、より柔軟性を有する場合がある。
【００３８】
代替の実施形態では、指延長部材１０、２０および親指アセンブリ１５は、別個であってもまたは組み入れられてもよく、グローブシェルの内部または外部を含む様々な位置で、およびグローブの前面パネル、後面パネル、または任意の周辺余白上で本体に取り付けられてもよい。
【００３９】
ここでは本発明を特定の実施形態として説明および図示するが、本発明は、投手、捕手、一塁手、内野手、外野手用などのグローブまたはミットが含まれるが、これらに限定されない、野球用またはソフトボール用の全てのグローブに適用できることを理解すべきである。
【００４０】
なお、指延長部材１０、２０および／または親指アセンブリ１５を含むグローブの全体的な性能は、良好に機能される。より詳細には、指延長部材１０、２０および／または親指アセンブリ１５の疲労は少ない。さらに、特定の強度または強度対重量比は、格子状の指延長部材１０、２０および／または親指アセンブリ１５でさらに改善される場合がある。
【００４１】
なお、格子部分をその構造に組み込む他のグローブも想定される。より具体的には、グローブシェル、リストストラップ、内側の手のひら、ポケットおよびウェビングを含む指の間の接続などの全てまたは一部に、格子部分、そうでなければポリマーが含まれる場合がある。このような格子部分を含めることは、一般にグローブの重量を減らす一因となり、したがって、特定のプレーヤーの性能基準を満たすためにカスタマイズ可能または調整可能であってもよい。
【００４２】
さらに、指延長部材自体がグローブの指に取って代わり、ライナーに縫い付けられるのではなく、実際にグローブ自体の外側部分を構成してもよい。その場合、指延長部材のサイズとスケールは、使用されているグローブのタイプ、およびフィールド上のどのポジション用かに応じて異なる場合がある。
【００４３】
上記から、本発明の様々な実施形態は、明らかであり、本構造に固有のさらに他の利点とともに説明する、上記の全ての目的および利点を達成するのによく適合していることが分かる。本実施形態の特定の構成および下位の組合せは有用であり、他の構成および下位の組合せを参照することなく使用できることが理解されるであろう。本発明の多くの可能な実施形態は、本発明の精神および範囲から逸脱することなく行うことができるので、添付の図面に記載または図示される本明細書の全ての開示は、限定ではなく例示としてのみ解釈されるべきであることも理解すべきである。上記で説明され、図面に示された様々な構成は、例としてのみ提示され、本発明の概念、原理、および範囲を限定することを意図するものではない。
【００４４】
しかし、本発明の多くの変更、修正、変形、および他の使用および用途は、明細書および添付図面を考慮した後、当業者に明らかになるであろう。本発明の精神および範囲から逸脱しないこのような全ての変更、修正、変形および他の使用および用途は、添付の特許請求の範囲によってのみ限定される本発明によってカバーされるとみなされる。
【図１】
2020131040.tif 000003
【図２】
2020131040.tif 000004
【図３】
2020131040.tif 000005
【図４】
2020131040.tif 000006
【図５】
2020131040.tif 000007
【図６】
2020131040.tif 000008
【図７】
2020131040.tif 000009
【図８】
2020131040.tif 000010
【図９】
2020131040.tif 000011
【図１０】
2020131040.tif 000012
【図１１】
2020131040.tif 000013
【外国語明細書】
2020131040000001.pdf